(57)【要約】【課題】ホテル等の館内に設置された液晶パネル型映像表示機器を使用して視聴者に各種映像情報を提供する視覚情報提供システムにおいて、視聴者に映像情報を提供する液晶パネル型映像表示機器の液晶パネル表示面破損、又は汚損を防止する液晶パネル型映像表示機器表示面保護用具。【解決手段】ホテル等の館内に設置された液晶パネル型映像表示機器を使用して視聴者に各種映像情報を提供する視覚情報提供システムにおいて、前述の視覚情報提供システム内の液晶パネル型映像表示機器は、ホテル等の館内情報及び周辺情報、又は施設設置者から視聴者への各種情報、又は公共テレビジョン放送、商業用衛星を利用したＣＳ放送、放送衛星を利用したＢＳ放送等の映像表示を行う。この時、液晶パネル型映像表示機器に付加し、外部衝撃等により発生する液晶パネル表示面の破損に起因する、映像情報提供能力の低下を防止する事を特徴とする、液晶パネル型映像表示機器用表示面保護用具。【選択図】図１
2004177906.tif 000002
【特許請求の範囲】
【請求項１】
ホテル等の館内に設置された液晶パネル型映像表示機器を使用して視聴者に各種映像情報を提供する視覚情報提供システムにおいて、
前述の視覚情報提供システム内の液晶パネル型映像表示機器は、ホテル等の館内情報及び周辺情報、又は施設設置者から視聴者への各種情報、又は公共テレビジョン放送、商業用衛星を利用したＣＳ放送、放送衛星を利用したＢＳ放送等の映像表示を行う。この時、液晶パネル型映像表示機器に付加し、外部衝撃等により発生する液晶パネル表示面の破損に起因する、映像情報提供能力の低下を防止する事を特徴とする、液晶パネル型映像表示機器用表示面保護用具。
【請求項２】
前述の視覚情報提供システムにおいて、液晶パネル型映像表示機器に付加し、外部衝撃等による液晶パネル表示面の破損を防止する事を特徴とする、液晶パネル型映像表示機器用表示面保護用具。
【請求項３】
前述の視覚情報提供システムにおいて、液晶パネル型映像表示機器に付加し、清掃等の保守作業により液晶パネル表示面に発生する擦り傷等を防止する事を特徴とする、液晶パネル型映像表示機器用表示面保護用具。
【請求項４】
前述の視覚情報提供システムにおいて、液晶パネル型映像表示機器に付加し、設置環境において発生する周辺環境に由来する埃等が液晶パネル表示面へ付着する事を防止する事を特徴とする、液晶パネル型映像表示機器用表示面保護用具。
【請求項５】
前述の視覚情報提供システムにおいて、液晶パネル型映像表示機器用表示面保護用具を液晶パネル型映像表示機器に付加するにあたって、液晶パネル型映像表示機器本体に改造を要さないで付加する事を特徴とする、液晶パネル型映像表示機器用表示面保護用具。
【発明の詳細な説明】
【０００１】
【発明の属する技術分野】
本発明は、ホテル、病院、街頭等において視聴者に各種情報を提供する視覚情報提供システムに係り、特に液晶パネル型映像表示機器を使用する視覚情報提供システムに関する。
【０００２】
【従来の技術】
従来、ホテルなどに設置された液晶パネル型映像表示機器を使用する視覚情報提供システムにおいて、液晶パネル型映像表示機器の液晶パネル表示面破損防止の為に液晶パネル型映像表示機器の液晶パネル表示面に粘着性を持った保護フィルムを貼り付ける方式や、液晶パネル型映像表示機器を保護装置に収納する方式が知られる。この保護方式により、外来環境に由来する破損、汚損を防止する。
【０００３】
【本発明が解決しようとする課題】
しかしながら、従来の保護フィルムを使用した液晶パネル型映像表示機器保護用具では、装着時に保護フィルムと液晶パネル表示面の間に気泡が入らない様に装着する必要があり、装着者の技術を要求される。また、保護フィルムでは、鋭利な先端を持つボールポイントペンシル等の筆記用具や、千枚通し等の金属性の鋭利な機器にて液晶パネル表示面に力を加えた場合には保護具を貫通してしまい、液晶パネル表示面の保護を行う事ができない。また、液晶パネル型映像表示機器を保護装置に収納する液晶パネル型映像表示機器用表示面保護用具では液晶パネル型映像表示機器本体から発生する熱に対して別に対策を施す必要があるという問題があった。
【０００４】
【課題を解決するための手段】
上記課題を解決するため、ホテル等の館内に設置された液晶パネル型映像表示機器を使用して視聴者に各種映像情報を提供する視覚情報提供システムにおいて、液晶パネル型映像表示機器に液晶パネル型映像表示機器用表示面保護用具を付加するに当たって、液晶パネル型映像表示機器の改造を要さず、尚且つ鋭利な突端等によって液晶パネル型映像表示機器用表示面保護用具を貫通する事が無く、液晶パネル型映像表示機器本体に対する熱対策を要さずに付加できる液晶パネル型映像表示機器用表示面保護用具を用いる事を特徴とする。
【０００５】
このように、本発明による液晶パネル型映像表示機器用表示面保護用具では、液晶パネル型映像表示機器用表示面保護用具に粘着性フィルムを用いず、視認性を妨げる事の無い透明なアクリル樹脂やポリカーボネート樹脂等の樹脂製パネルを用いる事により、液晶パネル表示面に表示される視覚情報を損なうことなく、従来の保護フィルムでは対応することが出来なかった鋭利な突端等による液晶パネル型映像表示機器の液晶パネル表示面破損を防ぐ事ができる。
【０００６】
本発明による液晶パネル型映像表示機器用表示面保護用具は、液晶パネル型映像表示機器に液晶パネル型映像表示機器用表示面保護用具を装着するに当たって、緩衝作用を持つゴムスポンジ等を基材とした接着シールを用いる。この接着シールは、基材の両面に塗布された接着剤にて液晶パネル型映像表示機器用表示面保護用具を液晶パネル型映像表示機器に密着して装着する事ができ、液晶パネル型映像表示機器の液晶パネル表示面破損を防ぐ事ができる。
【０００７】
本発明による液晶パネル型映像表示機器用表示面保護用具は、液晶パネル型映像表示機器に液晶パネル型映像表示機器用表示面保護用具を装着するに当たって、前述の接着シールを用いる事により、液晶パネル型映像表示機器を改造する事なく装着する事ができ、液晶パネル型映像表示機器の液晶パネル表示面破損を防ぐ事ができる。
【０００８】
本発明による液晶パネル型映像表示機器用表示面保護用具は、液晶パネル型映像表示機器の液晶パネル表示面のみを保護する事により、液晶パネル型映像表示機器本体から発生する熱の発散を妨げる事なく、液晶パネル型映像表示機器の液晶パネル表示面破損を防ぐ事ができる。
【０００９】
本発明による液晶パネル型映像表示機器用表示面保護用具は、液晶パネル型映像表示機器を改造する事無く、前述の接着シールを用いて装着するため、なんらかの理由により破損、又は汚損した場合には液晶パネル型映像表示機器の設置場所にて、液晶パネル型映像表示機器用表示面保護用具の交換を行う事ができる。
【００１０】
【発明の実施の形態】
以下、図面を参照して本発明の実施の形態を説明する。
図１は本発明の一実施形態にかかる液晶パネル型映像表示機器用表示面保護用具の装着状況を正面から示す図である。液晶パネル型映像表示機器用表示面保護用具は、アクリル樹脂やポリカーボネート樹脂等を、透明度を損なわぬよう映りこみ防止処理を施し、保護する液晶パネルに対応した大きさにて保護用樹脂製パネル１を作成する。この時、保護用樹脂製パネル１の末端部は鋭角にならぬ様、面取り処理を施す。
【００１１】
図２は本発明の一実施形態にかかる液晶パネル型映像表示機器用表示面保護用具の装着状況を正面から示す図である。保護用樹脂製パネル１を液晶パネル型映像表示機器３に装着する為の接着シール２は、緩衝作用を持つゴムスポンジ等を基材とし、片側の面には液晶パネル型映像表示機器用表示面保護用具に接着するための接着剤を塗布する。また、他方の面には液晶パネル型映像表示機器に接着するための接着剤を塗布する。
【００１２】
保護用樹脂製パネル１に接着シール２を接着し、液晶パネル型映像表示機器用表示面保護用具を成型する。
【００１３】
前述により製作された液晶パネル型映像表示機器用表示面保護用具を液晶パネル型映像表示機器３に装着する。液晶パネル型映像表示機器用表示面保護用具を装着する事によって液晶パネル表示面４に、直接接触する事が不可能となる為、液晶パネル型映像表示機器３の液晶パネル表示面４に対する保護作用となる。
【００１４】
【発明の効果】
以上説明したように、本発明による液晶パネル型映像表示機器用表示面保護用具を導入する事により、視認性を妨げる事の無い透明なアクリル樹脂やポリカーボネート樹脂等の樹脂製パネルを使用する為、液晶パネル表示面に表示される視覚情報を損なうことなく、従来の保護フィルムでは対応することが出来なかった鋭利な突端等による液晶パネル型映像表示機器の液晶パネル表示面破損を防ぐ事ができる。また、液晶パネル型映像表示機器用表示面保護用具は、緩衝作用を持つゴムスポンジ等を基材とする接着シールにて装着されるが、この接着シールによって、液晶パネル型映像表示機器用表示面保護用具を液晶パネル型映像表示機器に密着して装着する事ができる。この為、液晶パネル型映像表示機器用表示面保護用具を装着する為に、液晶パネル型映像表示機器を改造する必要が無く、液晶パネル型映像表示機器用表示面保護用具の装着に掛かる時間の削減を図る事ができる。さらに、ホテル等のロビー、公共機関等のロビー等、不特定多数の視聴者に映像情報の提供を行う場合、何らかの理由による液晶パネル表示面の破損、又は汚損を防止する事ができる。また、ホテル等の宿泊施設客室、船舶の客室、列車、療養所、病室等、視聴者を特定できない状況下にて映像情報の提供を行う場合、乳幼児等を連れた大人の手荷物による液晶パネル表示面の破損、又は汚損を防止する事ができる。さらには、幼児、児童等が触れることの出来る設置場所に液晶パネル型映像表示機器を設置した場合、悪戯によって液晶パネル表示面に破損が発生し、幼児、児童等が負傷する事が考えられるが、本発明による液晶パネル型映像表示機器用表示面保護用具を装着すれば、液晶パネル表示面の破損を防ぎ、幼児、児童等の負傷を防止できる。いずれの場合でも、本発明による液晶パネル型映像表示機器用表示面保護用具が何らかの理由により破損、又は汚損した場合、液晶パネル型映像表示機器用表示面保護用具の交換を液晶パネル型映像表示機器の設置場所にて行う事ができる。また、本発明の液晶パネル型映像表示機器用表示面保護用具を装着する事により、保護処理が為されているという外観から、悪戯を行おうと言う考えを持った者に対し、未然に防止する心理的抑止効果も発揮できる。
【図面の簡単な説明】
【図１】本発明の一実施形態にかかる液晶パネル型映像表示機器用表示面保護用具の装着状況を正面から示す図
【図２】本発明の一実施形態にかかる液晶パネル型映像表示機器用表示面保護用具の装着状況を断面から示す図
【符号の説明】
１…保護用樹脂製パネル
２…接着シール
３…液晶パネル型映像表示機器
４…液晶パネル表示面
【図１】
2004177906.tif 000003
【図２】
2004177906.tif 000004